(57)【要約】      （修正有）【課題】ダイヤル錠の暗証番号を、自分で覚えやすい番号や文字や記号に、自由に設定や変更ができるようにしたダイヤル錠とダイヤル錠用コードテープを提供する。【解決手段】所定数の数字または文字や記号が、印刷された複数の短冊状のテープ６であって、前記複数のテープはダイヤル錠を構成するダイヤルリング２の表面に付着され、かつ、前記ダイヤル錠のロック解除の位置で、所定の暗証コードを形成することを可能としたことを特徴とするダイヤル錠用コードテープ。【選択図】図１
0003143531.tif 000002
【実用新案登録請求の範囲】
【請求項１】
所定数の数字または文字や記号が、印刷された複数の短冊状のテープであって、前記複数のテープはダイヤル錠を構成するダイヤルリングの表面に付着され、かつ、前記ダイヤル錠のロック解除の位置で、所定の暗証コードを形成することを可能としたことを特徴とするダイヤル錠用コードテープ。
【請求項２】
請求項１記載のコードテープが、ダイヤルリング表面に付着されていることを特徴とするダイヤル錠。
【考案の詳細な説明】
【技術分野】
【０００１】
本考案は、ダイヤル錠の解錠の暗証番号を、自分で覚えやすい番号や文字や記号に、自由に設定や変更ができる、ダイヤル錠に関するものである。
【背景技術】
【０００２】
ダイヤル錠は、逆Ｕ字型係止杆の切り込み溝に、制御円盤の一部を挿入して、逆Ｕ字型係止杆を抜けなくして施錠となり、解錠は、特定の番号を目印に合わせた時、制御円盤に設けられた切り欠き部分が、逆Ｕ字型係止杆のところへ移動し、逆Ｕ字型係止杆が上方へ抜けるようになる。
このような機構で、番号を会わせるだけで施錠や解錠が出来るダイヤル錠は、鍵を使わないので鍵をなくする恐れが無く、番号を覚えているだけで誰でもやさしく簡単に使えるので、簡便な錠前として多用されている。
【０００３】
しかし、ダイヤル錠の使用は、使用者が解錠のとき目印として合わせる番号が、製作者が設定した番号で提供されているため、覚えにくい難点があった。
このため古いダイヤル錠は、番号を忘れて使えなくなり放置されていた。
【０００４】
現在この利便性の高いダイヤル錠の暗証番号を、覚えやすくする工夫が、おおいに期待されている所である。
そこでダイヤル錠の番号を、アルファベットやひらがなや漢字に変えるものが、特許文献１に、暗証番号を自由に設定できる方法が、特許文献２と特許文献３に提案されている。
（特許文献１〜３参照）
【０００５】
【特許文献１】特開２００８−０３１６９２号公報
【特許文献２】特開２００３−２１３９９３号公報
【特許文献３】実開平５−１７０５０号公報
【考案の開示】
【考案が解決しようとする課題】
【０００６】
特許文献１は数字が覚えにくいので、アルファベットやひら仮名に変える。または数字の語呂合せや漢字にしてその意味を取扱説明書へ明記して提供する、とあるが、これはアルファベットやひらがなでも、暗証番号の設定者が使用者本人でなく製作者であり、製作者が設定した文字が提供されているのであって、覚えにくい難点は解消されていない。
【０００７】
数字の語呂合わせや漢字は、各個人により想像力の違いがあるので、個人個人で語呂合わせや漢字の覚えやすさには違いがある。
また、暗証となる漢字の意味や語呂合わせの説明を、取扱説明書へ記載するなど、使用者へ製作者の意図を伝えなくてはならないという、新しい条件が発生する。
【０００８】
さらに決定的にだめなことは、語呂合わせや漢字の組み合わせの場合、同じ組み合わせと推察できるものが、暗証として使用されて複数個出回り、万一隣人同士が同じものを使用中なら、他人が隣の錠を解錠できるという不都合が発生し、錠前としての本来の機能をなくしてしまう恐れがある。文献１はこのような大きな欠陥が生じる。
【０００９】
特許文献２は、本考案とダイヤル錠の形式や、暗証番号の設定に係わる機構が大きく異なる。
【００１０】
特許文献３は、本考案と目的は同じであるが、ストッパーとなる部分の一部を折り曲げて取り除き、自分の好きな文字の組み合わせのダイヤル錠を組み立てるとあるが、手で折り曲げて取れるような部分が施錠のストッパーとなるのは、錠自体の強度に不安があり、またこの方式は何度も設定変更が出来ない。
【課題を解決するための手段】
【００１１】
前記の課題を解決するために、本考案が提供するダイヤル錠用コードテープは、目印となる暗証を簡単な短冊状のテープに、数字、アルファベット、仮名や漢字、その他の記号や図形などで印刷し、その短冊状のテープを、ダイヤルリングの表面に取り付けることで、自分自身で覚えやすい数字や文字、または名前や愛称を暗証コードに設定出来るようにしたものである。
【００１２】
また本考案が提供するダイヤル錠は、ダイヤルリング表面に上記コードテープを付着したものである。
【考案の効果】
【００１３】
本考案のダイヤル錠は、自分の好きな暗証を設定できるので、覚えやすく忘れない。
パソコンやラベルプリンターを利用して、短冊状のダイヤルテープを自分で作成すると、数字だけでなく、アルファベットやかなや漢字、記号や図形までも利用が出来、更なる自分だけのオリジナルな物が作れ、利用範囲が大幅に広がる。
また暗証の変更もダイヤルテープを変えるだけで簡単に出来るので、使用者が変わっても新しい使用者が新しく暗証を設定して、新品と同じように自分だけの錠として使用が出来る。このように年月がたって番号が分からなくなって、使えなくなったり、他人が使ったものはもらっても使えないなどの、今までにあったダイヤル錠の欠点が解消され無駄もなくなる。
【考案を実施するための最良の形態】
【００１４】
図１は実施例のダイヤル錠１で、自分の好きな暗証番号を１，１，１として設定しようとしている模式図で、逆U字型係止杆５が開錠の状態で、ダイヤルリング２のダイヤルリング２ａに、ダイヤルテープ６の数字の１を、番号合わせ目印４の↓マークに合わせて、取り付けを完了した所である。ダイヤルリング２ｂは、その作業の途中で、ダイヤルリング２ｃは、本体のダイヤルリング２のベースが見えている状態である。
図１のようにダイヤルリング２ａ、２ｂ、２ｃの全てを、ダイヤルリング２ａのように、使用者が意図した暗証を、番号合わせ目印４に合わせた時、逆Ｕ字型係止杆５が抜ける状態で、ダイヤルリング２の表面へダイヤルテープ６を取り付けて使用する。
図２のダイヤルテープ６ａは、数字を印字した短冊状のダイヤルテープである。ダイヤルテープ６ｂと６ｃは、アルファベットを印字したもので、図２のように２種類用意すると、英語表記やおおよそのローマ字表記も可能である。ダイヤルテープ６ｄは、数字と記号を印刷したものであるが、このほか仮名や漢字も使用できる。
【実施例】
【００１５】
図１のダイヤル錠１と、接着剤を付けたダイヤルテープ６を、必要な枚数と一緒に提供し、使用者が意図した暗証のダイヤル数字３を、番号合わせ目印４に合わせた時、逆Ｕ字型係止杆５が抜ける状態で、ダイヤルリング２の表面へダイヤルテープ６を貼り付けて使用する。
【００１６】
その他の取り付け方法として、ダイヤルリング２の表面に、目印となる数字３に対応したピン打ち込み子穴７を設け、図２のダイヤルテープ６にも、図３のダイヤルテープ固定ピン８が打ち込めるように、ピン打ち込みテープ子穴７ａを数ヶ所開け、両者を固定するため打ち込むダイヤルテープ固定ピン８と一緒に提供する。
前記のように逆Ｕ字型係止杆５が抜ける位置に、ダイヤルリング２とダイヤルテープ６の暗証を合わせて、ダイヤルテープ固定ピン８を打ち込み固定する。
【産業上の利用可能性】
【００１７】
ニューヨーク市で落書きを消して街を綺麗にしようと、落書き防止を徹底的に取り締まった所、殺人などの重大犯罪が大幅に減ったという、良いニュースがありました。小さな犯罪の助長が、重大犯罪へ発展していくと言う証拠かもしれません。
今後、本考案のような便利で使いやすいダイヤル錠が、安価に大量に出来るようになると、大勢の人々が何時でも何処でもちょっとした所でも、ダイヤル錠を使用するようになり、子供たちの小さないたずらや、色々な犯罪や空き巣や自転車泥棒なども減るようになるのではないでしょうか。
ダイヤル錠の暗証番号を、自分の覚えやすい番号に変更して使えば、番号忘れがなくなり何時までも使えて、無駄もなくなります。また私たち使用者が泥棒にあうことも少なくなり、平穏な穏やかな生活が送れるようになるでしょう。
このように小さな犯罪の温床がなくなれば、ひいてはニューヨークの例のように大きな重大犯罪の防止にも繋がり、平和で明るい文化国家となるのではないでしょうか。
【図面の簡単な説明】
【００１８】
【図１】実施例のダイヤル錠の斜視図。
【図２】ダイヤル錠用コードテープの平面図。
【図３】ダイヤルリングへのダイヤルテープ固定ピンの側面図。
【符号の説明】
【００１９】
１    ダイヤル錠
２    ダイヤルリング
２ａ  ダイヤルリング１段目
２ｂ  ダイヤルリング２段目
２ｃ  ダイヤルリング３段目
３    ダイヤル数字
４    番号合わせ目印
５    逆Ｕ字型係止杆
６    ダイヤルテープ
６ａ  ダイヤルテープ数字型
６ｂ  ダイヤルテープ英字型１
６ｃ  ダイヤルテープ英字型２
６ｄ  ダイヤルテープ記号型
７    ピン打ち込み小穴
７ａ  ピン打ち込みテープ小穴
８    ダイヤルテープ固定ピン
【図１】
0003143531.tif 000003
【図２】
0003143531.tif 000004
【図３】
0003143531.tif 000005